(57)【要約】本発明は、ＳＭＳメッセージのアイコン組合せ技術であって、移動体通信端末におけるＳＭＳの余剰容量を計算する第１段階と、ユーザメッセージの行数を計算する第２段階と、適切なアイコンの個数を選定する第３段階と、アイコンと単語間のマッピングを行う第４段階と、アイコンの付着位置を選定し、ＳＭＳメッセージにアイコンを組み合わせる第５段階と、を含んで構成することにより、移動体通信端末にＳＭＳメッセージを送信するとき、受信端末の機種別にそれぞれ搭載されたアイコンセットからメッセージの文脈に最適なアイコンを選択して付着することにより、視覚的効果を追加し、メッセージ作成者の情緒を効果的に表現することができる長所がある。
2010508596.tif 000002
【特許請求の範囲】
【請求項１】
ＳＭＳメッセージのアイコン組合せ方法であって、
（ａ）  移動体通信端末におけるＳＭＳの余剰容量を計算する段階と、
（ｂ）  ユーザメッセージの行数を計算する段階と、
（ｃ）  適切なアイコンの個数を選定する段階と、
（ｄ）  アイコンと単語間のマッピングを行う段階と、
（ｅ）  アイコンの付着位置を選定し、前記ＳＭＳメッセージに前記アイコンを組み合わせる段階と
を備えるＳＭＳメッセージのアイコン組合せ方法。
【請求項２】
前記段階（ａ）において、前記ＳＭＳメッセージの余剰容量を計算するために、前記ユーザメッセージの入力バイト数が８０バイトに設定されている、請求項１に記載のＳＭＳメッセージのアイコン組合せ方法。
【請求項３】
前記段階（ｃ）は、
（ｃ−１）  前記ＳＭＳメッセージが前記移動体通信端末に出力されるときの行数Ｌを設定（ｉ＝Ｌ）する段階と、
（ｃ−２）  前記剰余空間Ｍのバイトに対して「２×ｉ＞Ｍ」であるかを判別する段階と、
（ｃ−３）  「２×ｉ＞Ｍ」であれば、「ｉ＝ｉ−１」を行ってから、前記段階（ｃ−２）に戻る段階と、
（ｃ−４）  「２×ｉ＞Ｍ」でなければ、適切なアイコンの個数は、ｉであると判断する段階と
を含む、請求項２に記載のＳＭＳメッセージのアイコン組合せ方法。
【請求項４】
前記段階（ｄ）において、前記アイコンと単語間のマッピングが、１）具体的な意味が一致する単語に対するマッピング、２）関連する意味が一致する単語に対するマッピング、３）感情が一致する単語に対するマッピング、４）全体の雰囲気が一致する単語に対するマッピングのいずれか一つ以上を用いて行われる、請求項３に記載のＳＭＳメッセージのアイコン組合せ方法。
【請求項５】
前記段階（ｄ）において、前記アイコンと単語間のマッピングの際、各アイコンに優先順位を割り当ててマッピングを行う、請求項４に記載のＳＭＳメッセージのアイコン組合せ方法。
【請求項６】
前記段階（ｅ）は、前記アイコンが付着される単語と前記アイコンとが、同一の行に出力されるように、前記アイコンが付着される単語の前にスペース文字を挿入する段階を含む、請求項１乃至５のいずれか一項に記載のＳＭＳメッセージのアイコン組合せ方法。
【請求項７】
前記段階（ｅ）において、前記スペース文字の挿入時、挿入すべき前記スペース文字のバイト数に比べて、前記余剰容量が足りない場合、前記アイコンは、該アイコンが付着される単語の前に付着される、請求項６に記載のＳＭＳメッセージのアイコン組合せ方法。
【請求項８】
前記段階（ｅ）は、前記アイコンの付着位置が決定されるように、各アイコンに付着位置数字を付与する段階を含む、請求項１乃至５のいずれか一項に記載のＳＭＳメッセージのアイコン組合せ方法。
【請求項９】
ＳＭＳメッセージのアイコン組合せ方法であって、
（Ａ）  アイコンとテキスト文字の組合からなる拡張アイコンと、それに対応する単語とで構成されたマッピングテーブルを準備する段階と、
（Ｂ）  移動体通信端末におけるＳＭＳメッセージの余剰容量を計算する段階と、
（Ｃ）  拡張アイコンと単語間のマッピングを行う段階と、
（Ｄ）  前記ＳＭＳメッセージに前記拡張アイコンを組み合わせる段階と
を備えるＳＭＳメッセージのアイコン組合せ方法。
【請求項１０】
前記段階（Ｃ）は、具体的な意味が一致する単語に対するマッピング、関連する意味が一致する単語に対するマッピング、感情が一致する単語に対するマッピング、全体の雰囲気が一致する単語に対するマッピングのいずれか一つ以上を用いて、アイコンと単語間のマッピングを行う段階を含む、請求項９に記載のＳＭＳメッセージのアイコン組合せ方法。
【請求項１１】
前記段階（Ｃ）は、さらに、拡張アイコンと単語間のマッピングの際、各拡張アイコンに優先順位を割り当てる段階を含む、請求項１０に記載のＳＭＳメッセージのアイコン組合せ方法。
【請求項１２】
前記段階（Ｃ）は、さらに、前記優先順位が割り当てられた拡張アイコンのうち、それぞれの拡張アイコンの総バイト数が、前記ＳＭＳの余剰容量を超えないように、拡張アイコンを優先順位が高い順で選定する段階を含む、請求項１１に記載のＳＭＳメッセージのアイコン組合せ方法。
【請求項１３】
前記段階（Ｄ）は、拡張アイコンが付着される単語と拡張アイコンが、同一の行に出力されるように、前記拡張アイコンが付着される単語の前にスペース文字を挿入する段階を含む、請求項９乃至１２のいずれか一項に記載のＳＭＳメッセージのアイコン組合せ方法。
【請求項１４】
前記段階（Ｄ）は、前記スペース文字の挿入時、前記挿入すべきスペース文字のバイト数に比べて、前記余剰容量が足りない場合は、アイコンを、アイコンが付着される単語の前に付着させる段階を含む、請求項１３に記載のＳＭＳメッセージのアイコン組合せ方法。
【請求項１５】
前記段階（Ｄ）は、拡張アイコンの付着位置が決定されるように、拡張アイコンに付着位置数字を付与する段階を含む、請求項１４に記載のＳＭＳメッセージのアイコン組合せ方法。
【請求項１６】
前記段階（Ｃ）は、前記ＳＭＳの余剰容量を超えないと共に、最も高い優先順位を得た拡張アイコンを選定する段階をさらに含み、
前記段階（Ｄ）は、
ＳＭＳメッセージ領域を拡張アイコン領域とメッセージ領域に分割する段階と、
前記拡張アイコン領域に前記拡張アイコンが出力され、前記メッセージ領域に前記ＳＭＳメッセージが出力されるように、ＳＭＳメッセージに前記拡張アイコンを組み合わせる段階と
を含む、請求項１１に記載のＳＭＳメッセージのアイコン組合せ方法。
【発明の詳細な説明】
【技術分野】
【０００１】
本発明は、ＳＭＳメッセージ（Ｓｈｏｒｔ  Ｍｅｓｓａｇｅ  Ｓｅｒｖｉｃｅ、短文メッセージサービス）のためのアイコン組合せ方法に関する。ＳＭＳメッセージのアイコン組合せ方法において、移動体通信端末にＳＭＳメッセージを送信するとき、受信端末の機種別にそれぞれ搭載されたアイコンセットからメッセージの文脈に最適なアイコンを選択して付着することにより、視覚的効果を追加し、メッセージ作成者の情緒が効果的に表現される。
【背景技術】
【０００２】
一般に、ＳＭＳは、携帯電話の利用者が別途の付加装備無しにも短文を取り交わすようにする文字サービスである。図１は、ＳＭＳメッセージを用いる移動体通信システムのブロック図である。ここで、参照番号１０は、移動体通信サービスを受ける加入者の移動体通信端末であり、参照番号２０は、ベースバンド信号処理、有線−無線変換、無線信号送受信を行い、移動体通信端末１０と連結される基地局（Ｂａｓｅ  Ｔｒａｎｓｃｅｉｖｅｒ  Ｓｔａｔｉｏｎ，ＢＴＳ）であり、参照番号３０は、基地局２０を制御する制御局（Ｂａｓｅ  Ｓｔａｔｉｏｎ  Ｃｏｎｔｒｏｌｌｅｒ，ＢＳＣ）であり、参照番号４０は、制御局３０と連結され、交換機能を行い、移動体通信端末１０にＳＭＳサービスを含めた移動体通信サービスを提供する移動通信社サーバである。
【０００３】
携帯電話、ＰＤＡ（Ｐｅｒｓｏｎａｌ  Ｄｉｇｉｔａｌ  Ａｓｓｉｓｔａｎｔ、携帯情報端末）のような移動体通信端末１０の普及が拡散するにつれて、文字サービスの利用人口も急に増加しているが、Ｅメールとは異なりＳＭＳメッセージは、発送と同時に内容伝達が可能であり、確固たる通信手段の一つとして位置付けている。
【０００４】
ＳＭＳは、端末間に返信番号とメッセージ内容を伝送する方法であり、天気予報／ニュース／株式情報等を提供し、必要な情報を検索し、インターネット／ＰＣ通信等を通じてメールを送受信し、日常生活に必要な各種情報検索サービスを提供され得る。対話式で使用しやすいので、青少年はもとより、情報利用にアウトサイダーの中・高年層の利用も増えている。韓国のカード会社においては、カード事故を防ぐために、取引承認内容を文字メッセージで伝送する等、電子決済／電子商取引へも活用範囲が拡大している。
【０００５】
図２は、従来のＳＭＳメッセージに組み合わされるアイコンの例を示している。従来の技術において、テキスト基盤ＳＭＳメッセージサービスの短調さを補完するために、ＳＭＳに図２のようなアイコンを組み合わせる技術を提供した。
【０００６】
図３は、ＳＭＳメッセージにアイコンを組み合わせた例を示す。文字メッセージとアイコンを結合するとき、例えば、図２の音符アイコンを「音楽、歌、カラオケ、ＣＤ、歌手」等のように意味が一致する単語にマッチさせると、韓国製造社の移動体通信端末１０に搭載されたアイコンが足りないため（三星６０種、ＬＧ９３種）、メッセージにアイコンが殆ど付着されない。アイコンにマッチされる単語数が多ければ、アイコンが過多に付着され、サービス品質が低下し、図３におけるようにアイコンの挿入位置が不適切であり、メッセージ品質が低くなるという問題点があった。
【０００７】
図４は、図３に比べて、さらに適切なアイコン組合せの例を示しており、図３のような場合は、図４のように付着されることが適切である。しかしながら、従来の技術では、図４のようにアイコンを付着させる技術までに発展していなかった。
【発明の概要】
【発明が解決しようとする課題】
【０００８】
本発明は、前記問題点に鑑みなされたものであり、多くのメッセージにアイコンが付着されながら、アイコンを適切な個数で付着させるサービスを行うことができるＳＭＳメッセージのアイコン組合せ方法を提供することを目的とする。また、最適なアイコンの付着位置を決定する方法を提供し、アイコンが付着された結果メッセージの品質を高めることを他の目的とする。
【課題を解決するための手段】
【０００９】
前記の技術的課題を解決するため、本発明の一実施例によるＳＭＳメッセージのアイコン組合せ方法は、移動体通信端末におけるＳＭＳの余剰容量を計算する第１段階と、メッセージの行数を計算する第２段階と、適切なアイコンの個数を選定する第３段階と、アイコンと単語間のマッピングを行う第４段階と、アイコンの付着位置を選定し、ＳＭＳメッセージにアイコンを組み合わせる第５段階と、を含むことを技術的特徴とする。
【発明の効果】
【００１０】
本発明のＳＭＳメッセージのアイコン組合せ方法によると、移動体通信端末にＳＭＳメッセージを送信するとき、受信端末の機種別にそれぞれ搭載されたアイコンセットにおいて、ＳＭＳメッセージの文脈に最適なアイコンを選択して付着することにより、メッセージに視覚的な効果を追加し、メッセージ作成者の情緒を効果的に表現し、アイコン文字サービスを提供することができるという長所がある。
【図面の簡単な説明】
【００１１】
【図１】一般のＳＭＳメッセージを用いる移動体通信システムのブロック構成図である。
【図２】従来のＳＭＳメッセージに組み合わされるアイコンの例を示す図である。
【図３】従来のＳＭＳメッセージにアイコンを組み合わせた例を示す図である。
【図４】図３の場合について、より適切なアイコン組合せ例を示す図である。
【図５】本発明の一実施例によるＳＭＳメッセージのアイコン組合せ方法を示す流れ図である。
【図６】図５において、適切なアイコン個数の選定動作を示す詳細流れ図である。
【図７】図５において、アイコンと単語間のマッピング例を示す図である。
【図８】図５において、アイコンと単語間のマッピング例を示す図である。
【図９】図５において、アイコンと単語間のマッピング例を示す図である。
【図１０】図５において、アイコンと単語間のマッピング例を示す図である。
【図１１】図５において、アイコンの付着位置を選定する例を示す図である。
【図１２】図５において、優先順位割当て方式を適用して、アイコンの付着位置を選定する例を示す図である。
【図１３】図１２において、既に使用されたアイコンを排除するロジックを適用して、アイコンの付着位置を選定する例を示す図である。
【図１４】本発明の第２実施例によるＳＭＳメッセージのアイコン組合せ方法を示す順序図である。
【図１５】本発明の第２実施例によるＳＭＳメッセージのアイコン組合せ方法によって、拡張アイコンがＳＭＳメッセージに組み合わされた例を示す図である。
【図１６】本発明の第２実施例によるＳＭＳメッセージのアイコン組合せ方法によって、拡張アイコンとＳＭＳメッセージを左右に領域分割し、拡張アイコンをＳＭＳメッセージの左側に配置した例を示す図である。
【図１７】本発明の第２実施例によるＳＭＳメッセージのアイコン組合せ方法によって、拡張アイコンをＳＭＳメッセージの右側に配置した例を示す図である。
【図１８】本発明の第２実施例によるＳＭＳメッセージのアイコン組合せ方法によって、拡張アイコンをＳＭＳメッセージの上端に配置した例を示す図である。
【発明を実施するための形態】
【００１２】
以下、添付した図面に基づき、本発明の好適な実施例について詳述する。本発明に関連した公知の機能または具体的な説明が、発明の要旨をぼやかす場合は、それを省略する。後述する用語は、本発明における機能を考慮して定義されたものであり、使用者、運用者の意図または判例等により異なり、これにより、各用語の意味は、本明細書の全般にわたる内容に基づいて解釈されなければならない。
【００１３】
本発明は、移動体通信端末にＳＭＳメッセージを送信するとき、受信端末の機種別にそれぞれ搭載されたアイコンセットにおいて、ＳＭＳメッセージの文脈に最適なアイコンを選択して付着することにより、メッセージに視覚的な効果を追加し、メッセージ作成者の情緒を効果的に表現して、アイコン文字サービスを提供するためのものである。
【００１４】
以下、本発明の第１実施例によるＳＭＳメッセージのアイコン組合せ方法について詳述する。
図５は、本発明の第１実施例によるＳＭＳメッセージのアイコン組合せ方法を示す流れ図である。移動体通信端末１０におけるＳＭＳの余剰容量を計算する第１段階（ＳＴ１）と、ユーザメッセージの行数を計算する第２段階（ＳＴ２）と、適切なアイコンの個数を選定する第３段階（ＳＴ３）と、アイコンと単語間のマッピングを行う第４段階（ＳＴ４）と、アイコンの付着位置を選定し、ＳＭＳメッセージにアイコンを組み合わせる第５段階（ＳＴ５）と、を含んで行う。第１段階では、メッセージの入力バイト数を８０バイトと設定し、ＳＭＳメッセージの余剰容量を計算する。
【００１５】
図６は、適切なアイコンの個数を選定する動作を示す流れ図である。第３段階は、ＳＭＳメッセージが移動体通信端末１０に出力されるときの行数Ｌを設定（ｉ＝Ｌ）する第１１段階（ＳＴ１１）と、剰余空間Ｍのバイトに対して「２×ｉ＞Ｍ」であるかを判別する第１２段階（ＳＴ１２）と、「２×ｉ＞Ｍ」であれば、「ｉ＝ｉ−１」を行ってから、第１２段階に戻る第１３段階（ＳＴ１３）と、「２×ｉ＞Ｍ」でなければ、適切なアイコンの個数は、ｉであると判断する第１４段階（ＳＴ１４）と、を含む。
【００１６】
図７乃至図１０は、アイコンと単語間のマッピング方式の例を示す。段階ＳＴ４において、１）具体的な意味によるマッピング、２）関連する意味によるマッピング、３）感情によるマッピング、４）全体の雰囲気によるマッピングのいずれか一つ以上を用いて、アイコンと単語間のマッピングを行う。
【００１７】
図１１は、アイコンの付着位置を選定した例を示し、図１２は、優先順位割当て方式でアイコンの付着位置を選定した例を示す。段階ＳＴ４において、アイコンと単語間のマッピングの際、各アイコンに優先順位を割り当ててマッピングを行う。段階ＳＴ５は、アイコンが付着される単語とそのアイコンが、同一行に出力されるように、アイコンが付着される単語の前にスペース文字を挿入することを含む。また、ＳＴ５段階において、スペース文字のバイト数に比べて剰余容量が足りないと、アイコンを単語の前に付着する。
【００１８】
図１３は、図１２において、既に使用されたアイコンを排除するロジックを適用し、アイコンの付着位置を選定した例を示す。段階ＳＴ５は、アイコンの付着位置が決定されるように、アイコンに付着位置数字を付与することを含む。
【００１９】
＜適切なアイコンの個数を選定するための過程＞
１）余剰容量の計算：８０ｂｙｔｅ−ユーザメッセージの入力バイト数
２）ユーザメッセージの行数の計算
３）適切なアイコン個数の選定
４）アイコンと単語間のマッピング
５）アイコン付着位置の選定
また、アイコンと単語との間のマッピング方式について説明すると、以下の通りである。
【００２０】
図７乃至図１０に示されるように、以下のマッピング方法を行うことができる。
１）具体的な意味によるマッピングの場合
「音楽、音符、歌」；「月、三日月、十五夜月、星、夜空」；「日、太陽、サン」；「悲しい、涙、泣く」等に対して、意味が具体的に一致するアイコンを設定してマッピングすることができる。
【００２１】
２）関連する意味によるマッピングの場合
「カラオケ、ＣＤ、歌手」；「おやすみ、グッドナイト、夢」；「サニー、のどか、避暑、天気の良い」；「無し」等に対して、関連する意味が一致するアイコンを設定してマッピングすることができる。
【００２２】
３）感情によるマッピングの場合
「らら、るる、気持ち良い、楽しい」；「静か、ひっそり、しめやか」；「気持ち良い、楽しい」；「悲しい、泣く」等に対して、感情が一致するアイコンを設定してマッピングすることができる。
【００２３】
４）全体の雰囲気によるマッピングの場合
【００２４】
【表１】
2010508596.tif 000003
等に対して、全体の雰囲気が一致するアイコンを設定してマッピングすることができる。
【００２５】
＜アイコンと単語間のマッピングロジックの使用方法＞
本発明では、４つ以上のマッピングＤＢを別途に管理し、１つの文字メッセージ内においてマッピングされる単語が、算出された適切なアイコンの個数よりも多い場合、１）方式によるマッピング単語＞２）方式によるマッピング単語＞３）方式によるマッピング単語＞４）方式によるマッピング単語の順で優先順位を割り当て、優先順位が高い単語を選別してアイコンを組み合わせる。このような優先順位割当て方式は、適切なアイコンを優先的にマッチさせるためのものである。
【００２６】
全体の雰囲気によるマッピングは、意味が多少不明確な点があるが、
【００２７】
【表２】
2010508596.tif 000004
等の単語は、最近、１０〜２０代のＳＭＳ使用者が習慣的に相手方に対する好意を伝えるために用いる単語であることを考えると、メッセージ全体の雰囲気と連関があることが分かる。
【００２８】
非公式的な調査結果であるので信頼度が高くはないが、最近、某移動通信社において、約２０００個のＳＭＳメッセージを任意に抽出して調査した結果、
【００２９】
【表３】
2010508596.tif 000005
等が含まれたメッセージが３０％を上回った。このような結果によると、
【００３０】
【表４】
2010508596.tif 000006
のような単語を、アイコンマッピング単語として登録させておけば、３０％以上のメッセージに
【００３１】
【表５】
2010508596.tif 000007
のうち一つのアイコンが付着されるものである。したがって、アイコン付着の頻度を高める結果が得られるが、使用され過ぎる単語であるので、単調さを与えることがあり得る。したがって、このような単語の優先順位を最低に低くすることにより、他のアイコンが付着される可能性を高めることができる。
【００３２】
１）の方式である具体的な意味によるマッピング方式のみを用いる場合、アイコンが組み合わされたメッセージに少な過ぎるアイコンが付着され、または初めからアイコンが付着されなかった場合も多い。１）〜４）に該当する単語を全て１つのＤＢに一括して含めておく場合、多過ぎるアイコンが付着される可能性が多い。
【００３３】
図１１の例は、一括マッチングによって多過ぎるアイコンが付着された例として、メッセージが乱雑に見える。図１１では、計７個のアイコンが用いられたが、適切なアイコンの個数が、容量が十分であるとき、メッセージの行数であるとすると、２つのアイコンは除去されることが好ましい。上述した優先順位割当て方式が適用されたアイコン組合せ結果のメッセージは、図１２の通りである。
【００３４】
ここに既に使用されたアイコンを排除するロジックを追加すると、図１３におけるように、使用されたアイコンの種類が増える。すなわち、優先順位が高くても既に使用されたアイコンは使用せず、代替アイコンを探すことである。
【００３５】
＜アイコン付着位置の選定ロジックＩ＞
図３は、移動体通信端末のＳＭＳメッセージの出力方式によると、「傘」との単語にマッチされたアイコンが次行に出力される場合である。「傘」と該当アイコンを同一の行に表示するためには、図４のように、「傘」の前に必要なだけのスペース（空白）文字を挿入する過程が追加されなければならない。但し、挿入すべき空白文字のバイト数に比べて、剰余空間のバイト数が足りない場合は、アイコンを「傘」の前に付着することが次善の効果を提供するものである。
【００３６】
＜アイコン付着位置の選定ロジックＩＩ＞
図１１の例において、
【００３７】
【表６】
2010508596.tif 000008
のように「お酒一杯」の後にアイコンが付着された。「お酒（ＳＵＬ）」との単語をマッチング単語として登録させる場合、
【００３８】
【表７】
2010508596.tif 000009
のように、より適切な位置に付着され得るが、これは、
【００３９】
【表８】
2010508596.tif 000010
のような不適切な組合せを生成させる恐れがある。従って、マッチング単語としては、「お酒一杯」、「お酒飲」、「お酒  飲」「居酒屋」のような単語を登録しなければ、不適切なマッチングを避けることができないので、
【００４０】
【表９】
2010508596.tif 000011
のようにアイコンの付着位置が決定されるが、適切な位置ではないことが分かる。
【００４１】
このような問題を解決するために、別途のＤＢに「お酒一杯：４」、「お酒飲：２」、「お酒  飲：３」、「居酒屋：０」のような情報を登録させておく。マッチング単語の後の数字は、アイコンの付着位置を意味するバイト数である。すなわち、「お酒一杯」の場合は、マッチング単語の最後の位置から４バイト前にアイコンを付着させ、「お酒飲」の場合は、２バイト前にアイコンを付着させ、「お酒  飲」の場合は、３バイト前にアイコンを付着させる。
【００４２】
付着位置の数字が０である「居酒屋」の場合、マッチング単語の最後の位置にアイコンを付着させる。このロジックを用いる場合、付着の結果は、
【００４３】
【表１０】
2010508596.tif 000012
のようにより見やすい組合せ結果が得られる。このように、本発明は、できるだけ多くのメッセージにアイコンが付着されるようにすると共に、付着されるアイコンの個数が好ましい値となるようにする。
【００４４】
以下、本発明のＳＭＳメッセージのアイコン組合せ方法の技術的思想による第２実施例について、図面を参照して説明する。図１４は、本発明の第２実施例によるＳＭＳメッセージのアイコン組合せ方法を示す順序図である。アイコンとテキスト文字の組合せからなる拡張アイコンと、それに対応する単語とで構成されたマッピングテーブルを準備する（ＳＴ１０）。拡張アイコンは、アイコンと一般のテキスト文字を一列で配列して構成してもよく、上下に配置されて立体で構成されてもよい。数個のアイコンと数個のテキスト文字を組み合わせて様々な拡張アイコンを予め登録することができる。
【００４５】
次に、移動体通信端末におけるＳＭＳの余剰容量を計算する（ＳＴ２０）。一般には、ユーザメッセージの入力バイト数を８０バイトと設定し、ＳＭＳメッセージの余剰容量を計算するようになる。ＳＭＳの余剰容量を計算することは、拡張アイコンを挿入可能な空間を予めチェックするためである。
【００４６】
また、拡張アイコンと単語間のマッピングを行う（ＳＴ３０）。上述したように、１）具体的な意味によるマッピング、２）関連する意味によるマッピング、３）感情によるマッピング、４）全体の雰囲気によるマッピングのうち、１つ以上を用いてマッピングを行う。この際、拡張アイコンと単語間のマッピングは、各拡張アイコンに優先順位を割り当てて行う。また、拡張アイコンの全体バイト数が、ＳＭＳの余剰容量を超えることができないので、ＳＭＳの余剰容量の範囲内で拡張アイコンを優先順位が高い順で選定することができる。
【００４７】
最後に、ＳＭＳメッセージに拡張アイコンを組み合わせる（ＳＴ４０）。ＳＭＳメッセージに拡張アイコンを組み合わせる方式としては、拡張アイコンをＳＭＳメッセージにそのまま挿入する方法と、画面を分割して一方にのみ拡張アイコンを示す方法がある。一列配置された拡張アイコンは、ＳＭＳメッセージにそのまま挿入することができるが、アイコンとテキスト文字が立体で組み合わされた拡張アイコンであれば、挿入が困難である。したがって、拡張アイコン領域とメッセージ領域が分割ディスプレイされるように、ＳＭＳメッセージを組み合わせることができる。
【００４８】
図１５は、本発明の第２実施例によるＳＭＳメッセージのアイコン組合せ方法によって、拡張アイコンがＳＭＳメッセージに組み合わされた例を示す。「ためいき」に対応する拡張アイコンとして人の顔アイコンと「＝」と「３」のテキスト組合せを用いることにより、ためいきをつく人が表現された。この場合は、テキスト文字と一列配置が可能であるので、ＳＭＳメッセージにそのまま挿入して、ＳＭＳメッセージを組み合わせることができ、拡張アイコンの配置に関する細部事項も上述した内容がそのまま適用され得る。
【００４９】
図１６は、本発明の第２実施例によるＳＭＳメッセージのアイコン組合せ方法によって、拡張アイコンとＳＭＳメッセージを左右に領域分割し、拡張アイコンをＳＭＳメッセージの左側に配置した例を示す。「怒る」に対応する拡張アイコンとして「＜」、「｜」、「＞」等のテキスト文字の組合せを人の顔アイコンの左側と下端に立体で配置することにより怒った人が表現された。この場合は、ＳＭＳメッセージにそのまま挿入が不可能であり、図示のように、左右に画面分割して、左側の拡張アイコン領域に拡張アイコンを配置し、右側のメッセージ領域にＳＭＳメッセージが出力されるように組み合わされる。このように画面を分割する場合は、数個の拡張アイコンを用いることが容易ではないので、先ず優先順位を割り当て、マッピングされた拡張アイコンのうち最も高い優先順位を得た拡張アイコンをＳＭＳメッセージに含ませることができる。
【００５０】
図１７は、本発明の第２実施例によるＳＭＳメッセージのアイコン組合せ方法によって、拡張アイコンをＳＭＳメッセージの右側に配置した例を示す。「雨」に対応する拡張アイコンとして傘を示すアイコンの上端に「／」を数個配置することにより、雨が降ることが表現された。上述したように、画面を左右分割し、拡張アイコンが右側に配置されるようにＳＭＳメッセージを組み合わせる。
【００５１】
図１８は、本発明の第２実施例によるＳＭＳメッセージのアイコン組合せ方法によって、拡張アイコンをＳＭＳメッセージの上端に配置した例を示す。「地下鉄」に対応する拡張アイコンとして、人の顔を示す数個のアイコンを一列で配置し、左右と下端に「｜」と「ｍ」のテキスト文字の組合せを配置することにより、数人が地下鉄に乗っていることが表現された。画面を上下分割し、上端に拡張アイコン領域を置き、下端にメッセージ領域が配置されるようにＳＭＳメッセージを組み合わせるようになる。
【００５２】
このように本発明の第２実施例は、アイコンとテキスト文字の組合せで構成された拡張アイコンをＳＭＳメッセージ内に組み合わせて示すことにより、個別アイコンのみを付着する場合に比べて、様々な表現が可能であり、結果物の品質を高めることができる。
【図１】
2010508596.tif 000013
【図２】
2010508596.tif 000014
【図３】
2010508596.tif 000015
【図４】
2010508596.tif 000016
【図５】
2010508596.tif 000017
【図６】
2010508596.tif 000018
【図７】
2010508596.tif 000019
【図８】
2010508596.tif 000020
【図９】
2010508596.tif 000021
【図１０】
2010508596.tif 000022
【図１１】
2010508596.tif 000023
【図１２】
2010508596.tif 000024
【図１３】
2010508596.tif 000025
【図１４】
2010508596.tif 000026
【図１５】
2010508596.tif 000027
【図１６】
2010508596.tif 000028
【図１７】
2010508596.tif 000029
【図１８】
2010508596.tif 000030
【手続補正書】
【提出日】平成21年6月30日(2009.6.30)
【手続補正１】
【補正対象書類名】明細書
【補正対象項目名】全文
【補正方法】変更
【補正の内容】
【書類名】      明細書
【発明の名称】  メッセージのアイコン組合せ方法
【技術分野】
【０００１】
本発明は、移動体通信端末にメッセージを送信するとき、受信端末の機種別にそれぞれ搭載されたアイコンセットからメッセージの文脈に最適なアイコンを選択して付着することにより、視覚的効果を追加し、メッセージ作成者の情緒が効果的に表現する方法に関する。
【背景技術】
【０００２】
一般に、メッセージングは、携帯電話の利用者が短文を取り交わすようにする文字サービスである。図１は、メッセージを用いる移動体通信システムのブロック図である。ここで、参照番号１０は、加入者の移動体通信端末であり、参照番号２０は、ベースバンド信号処理、有線−無線変換、無線信号送受信を行い、移動体通信端末１０と連結される基地局（Ｂａｓｅ  Ｔｒａｎｓｃｅｉｖｅｒ  Ｓｔａｔｉｏｎ，ＢＴＳ）であり、参照番号３０は、基地局２０を制御する制御局（Ｂａｓｅ  Ｓｔａｔｉｏｎ  Ｃｏｎｔｒｏｌｌｅｒ，ＢＳＣ）であり、参照番号４０は、制御局３０と連結され、交換機能を行い、移動体通信端末１０に移動体通信サービスを提供する移動通信社サーバである。
【０００３】
携帯電話、ＰＤＡ（Ｐｅｒｓｏｎａｌ  Ｄｉｇｉｔａｌ  Ａｓｓｉｓｔａｎｔ、携帯情報端末）のような移動体通信端末１０の普及が拡散するにつれて、文字サービスの利用人口も急に増加しているが、Ｅメールとは異なりメッセージは、発送と同時に内容伝達が可能であり、確固たる通信手段の一つとして位置付けている。
【０００４】
メッセージングは、端末間に返信番号とメッセージ内容を伝送する方法であり、天気予報／ニュース／株式情報等を提供し、必要な情報を検索し、インターネット／ＰＣ通信等を通じてメールを送受信することができる。対話式で使用しやすいので、青少年はもとより、中・高年層の利用も増えている。韓国のカード会社においては、取引承認内容を文字メッセージで伝送する等、活用範囲が拡大している。
【０００５】
図２は、従来のメッセージに組み合わされるアイコンの例を示している。従来の技術において、テキスト基盤メッセージサービスの短調さを補完するために、メッセージに図２のようなアイコンを組み合わせる技術を提供した。
【０００６】
図３は、メッセージにアイコンを組み合わせた例を示す。文字メッセージとアイコンを結合するとき、例えば、図２の音符アイコンを「音楽、歌、カラオケ、ＣＤ、歌手」等のように意味が一致する単語にマッチさせると、移動体通信端末１０に搭載されたアイコンが足りないため（三星６０種、ＬＧ９３種）、メッセージにアイコンが殆ど付着されない。アイコンにマッチされる単語数が多ければ、アイコンが過多に付着され、図３におけるようにアイコンの挿入位置が不適切であり、メッセージ品質が低くなるという問題点があった。
【０００７】
図４は、より良好なアイコン組合せの例を示しており、図３のような場合は、図４のように付着されることが適切である。しかしながら、従来の技術では、図４のようにアイコンを付着させる技術までに発展していなかった。
【先行技術文献】
【特許文献１】韓国特許出願公開第２００５−０００５６８７号明細書
【特許文献２】米国特許出願公開第２００２／０１１１１７７号明細書
【特許文献３】米国特許第７０３５８０３号明細書
【特許文献４】米国特許第６９９０４５２号明細書
【特許文献５】米国特許第６０２０８２８号明細書
【発明の概要】
【発明が解決しようとする課題】
【０００８】
本発明は、前記問題点に鑑みなされたものであり、多くのメッセージにアイコンが付着されながら、アイコンを適切な個数で付着させる方法を提供することを目的とする。また、最適なアイコンの付着位置を決定する方法を提供し、メッセージの品質を高めることを他の目的とする。
【課題を解決するための手段】
【０００９】
前記の技術的課題を解決するため、本発明の一実施例によるメッセージのアイコン組合せ方法は、移動体通信端末におけるメッセージの余剰容量を計算する第１段階と、メッセージの行数を計算する第２段階と、適切なアイコンの個数を選定する第３段階と、アイコンと単語間のマッピングを行う第４段階と、アイコンの付着位置を選定し、メッセージにアイコンを組み合わせる第５段階と、を含むことを技術的特徴とする。
【発明の効果】
【００１０】
本発明によると、移動体通信端末にメッセージを送信するとき、受信端末の機種別にそれぞれ搭載されたアイコンセットにおいて、メッセージの文脈に最適なアイコンを選択して付着することにより、メッセージに視覚的な効果を追加し、メッセージ作成者の情緒を効果的に表現することができるという長所がある。
【図面の簡単な説明】
【００１１】
【図１】  一般のメッセージを用いる移動体通信システムのブロック構成図である。
【図２】  従来のメッセージに組み合わされるアイコンの例を示す図である。
【図３】  従来のメッセージにアイコンを組み合わせた例を示す図である。
【図４】  図３の場合について、より適切なアイコン組合せ例を示す図である。
【図５】  本発明の一実施例によるメッセージのアイコン組合せ方法を示す流れ図である。
【図６】  アイコン個数の選定動作を示す詳細流れ図である。
【図７】  アイコンと単語間のマッピング例を示す図である。
【図８】  アイコンと単語間のマッピング例を示す図である。
【図９】  アイコンと単語間のマッピング例を示す図である。
【図１０】  アイコンと単語間のマッピング例を示す図である。
【図１１】  アイコンの付着位置を選定する例を示す図である。
【図１２】  優先順位割当て方式を適用して、アイコンの付着位置を選定する例を示す図である。
【図１３】  既に使用されたアイコンを排除するロジックを適用して、アイコンの付着位置を選定する例を示す図である。
【図１４】  本発明の第２実施例によるメッセージのアイコン組合せ方法を示す順序図である。
【図１５】  本発明の第２実施例によって、拡張アイコンがメッセージに組み合わされた例を示す図である。
【図１６】  本発明の第２実施例によって、左右に領域分割し、拡張アイコンをメッセージの左側に配置した例を示す図である。
【図１７】  本発明の第２実施例によって、拡張アイコンをメッセージの右側に配置した例を示す図である。
【図１８】  本発明の第２実施例によって、拡張アイコンをメッセージの上端に配置した例を示す図である。
【発明を実施するための形態】
【００１２】
以下、添付した図面に基づき、本発明の好適な実施例について詳述する。本発明に関連した公知の機能または具体的な説明が、発明の要旨をぼやかす場合は、それを省略する。後述する用語は、本発明における機能を考慮して定義されたものであり、使用者、運用者の意図または判例等により異なり、これにより、各用語の意味は、本明細書の全般にわたる内容に基づいて解釈されなければならない。
【００１３】
本発明は、移動体通信端末にメッセージを送信するとき、受信端末の機種別にそれぞれ搭載されたアイコンセットにおいて、メッセージの文脈に最適なアイコンを選択して付着することにより、メッセージに視覚的な効果を追加し、メッセージ作成者の情緒を効果的に表現するためのものである。
【００１４】
以下、本発明の第１実施例によるメッセージのアイコン組合せ方法について詳述する。
図５は、本発明の第１実施例によるメッセージのアイコン組合せ方法を示す流れ図である。移動体通信端末１０におけるメッセージの余剰容量を計算する第１段階（ＳＴ１）と、ユーザメッセージの行数を計算する第２段階（ＳＴ２）と、適切なアイコンの個数を選定する第３段階（ＳＴ３）と、アイコンと単語間のマッピングを行う第４段階（ＳＴ４）と、アイコンの付着位置を選定し、メッセージにアイコンを組み合わせる第５段階（ＳＴ５）と、を含んで行う。第１段階では、メッセージの入力バイト数を８０バイトと設定し、メッセージの余剰容量を計算する。
【００１５】
図６は、適切なアイコンの個数を選定する動作を示す流れ図である。第３段階は、メッセージが移動体通信端末１０に出力されるときの行数Ｌを設定（ｉ＝Ｌ）する第１１段階（ＳＴ１１）と、剰余空間Ｍのバイトに対して「２×ｉ＞Ｍ」であるかを判別する第１２段階（ＳＴ１２）と、「２×ｉ＞Ｍ」であれば、「ｉ＝ｉ−１」を行ってから、第１２段階に戻る第１３段階（ＳＴ１３）と、「２×ｉ＞Ｍ」でなければ、適切なアイコンの個数は、ｉであると判断する第１４段階（ＳＴ１４）と、を含む。
【００１６】
図７乃至図１０は、アイコンと単語間のマッピング方式の例を示す。段階ＳＴ４において、１）意味によるマッピング、２）関連する意味によるマッピング、３）感情によるマッピング、４）全体の雰囲気によるマッピングのいずれか一つ以上を用いて、アイコンと単語間のマッピングを行う。
【００１７】
図１１は、アイコンの付着位置を選定した例を示し、図１２は、優先順位割当て方式でアイコンの付着位置を選定した例を示す。段階ＳＴ４において、アイコンと単語間のマッピングの際、各アイコンに優先順位を割り当ててマッピングを行う。段階ＳＴ５は、アイコンが付着される単語とそのアイコンが、同一行に出力されるように、単語の前にスペース文字を挿入し、スペース文字のバイト数に比べて剰余容量が足りないと、アイコンを単語の前に付着する。
【００１８】
図１３は、既に使用されたアイコンを排除するロジックを適用し、アイコンの付着位置を選定した例を示す。段階ＳＴ５は、アイコンの付着位置が決定されるように、アイコンに付着位置数字を付与することを含む。
【００１９】
＜適切なアイコンの個数を選定するための過程＞
１）余剰容量の計算：８０ｂｙｔｅ−ユーザメッセージの入力バイト数
２）ユーザメッセージの行数の計算
３）適切なアイコン個数の選定
４）アイコンと単語間のマッピング
５）アイコン付着位置の選定
また、アイコンと単語との間のマッピング方式について説明すると、以下の通りである。
【００２０】
図７乃至図１０に示されるように、以下のマッピング方法を行うことができる。
１）意味によるマッピングの場合
「音楽、音符、歌」；「月、三日月、十五夜月、星、夜空」；「日、太陽、サン」；「悲しい、涙、泣く」等に対して、意味が具体的に一致するアイコンを設定してマッピングすることができる。
【００２１】
２）関連する意味によるマッピングの場合
「カラオケ、ＣＤ、歌手」；「おやすみ、グッドナイト、夢」；「サニー、のどか、避暑、天気の良い」；「無し」等に対して、関連する意味が一致するアイコンを設定してマッピングすることができる。
【００２２】
３）感情によるマッピングの場合
「らら、るる、気持ち良い、楽しい」；「静か、ひっそり、しめやか」；「気持ち良い、楽しい」；「悲しい、泣く」等に対して、感情が一致するアイコンを設定してマッピングすることができる。
【００２３】
４）全体の雰囲気によるマッピングの場合
【００２４】
【表１】
2010508596.tif 000031
【００２５】
等に対して、全体の雰囲気が一致するアイコンを設定してマッピングすることができる。
＜アイコンと単語間のマッピングロジックの使用方法＞
本発明では、４つ以上のマッピングＤＢを別途に管理し、１つの文字メッセージ内においてマッピングされる単語が、算出された適切なアイコンの個数よりも多い場合、１）方式によるマッピング単語＞２）方式によるマッピング単語＞３）方式によるマッピング単語＞４）方式によるマッピング単語の順で優先順位を割り当て、優先順位が高い単語を選別してアイコンを組み合わせる。このような優先順位割当て方式は、適切なアイコンを優先的にマッチさせるためのものである。
【００２６】
全体の雰囲気によるマッピングは、意味が多少不明確な点があるが、
【００２７】
【表２】
2010508596.tif 000032
等の単語は、最近、１０〜２０代のメッセージング使用者が習慣的に相手方に対する好意を伝えるために用いる単語であることを考えると、メッセージ全体の雰囲気と連関があることが分かる。
【００２８】
非公式的な調査結果であるので信頼度が高くはないが、最近、某移動通信社において、約２０００個のメッセージを任意に抽出して調査した結果、
【００２９】
【表３】
2010508596.tif 000033
等が含まれたメッセージが３０％を上回った。このような結果によると、
【００３０】
【表４】
2010508596.tif 000034
のような単語を、アイコンマッピング単語として登録させておけば、３０％以上のメッセージに
【００３１】
【表５】
2010508596.tif 000035
のうち一つのアイコンが付着されるものである。したがって、アイコン付着の頻度を高める結果が得られるが、使用され過ぎる単語であるので、単調さを与えることがあり得る。したがって、このような単語の優先順位を最低に低くすることにより、他のアイコンが付着される可能性を高めることができる。
【００３２】
１）の方式である意味によるマッピング方式のみを用いる場合、アイコンが組み合わされたメッセージに少な過ぎるアイコンが付着され、または初めからアイコンが付着されなかった場合も多い。１）〜４）に該当する単語を全て１つのＤＢに一括して含めておく場合、多過ぎるアイコンが付着される可能性が多い。
【００３３】
図１１の例は、一括マッチングによって多過ぎるアイコンが付着された例として、メッセージが乱雑に見える。計７個のアイコンが用いられたが、適切なアイコンの個数が、容量が十分であるとき、メッセージの行数であるとすると、２つのアイコンは除去されることが好ましい。上述した優先順位割当て方式が適用されたアイコン組合せ結果のメッセージは、図１２の通りである。
【００３４】
ここに既に使用されたアイコンを排除するロジックを追加すると、図１３におけるように、使用されたアイコンの種類が増える。すなわち、優先順位が高くても既に使用されたアイコンは使用せず、代替アイコンを探すことである。
【００３５】
＜アイコン付着位置の選定ロジックＩ＞
図３は、移動体通信端末のメッセージの出力方式によると、「傘」との単語にマッチされたアイコンが次行に出力される場合である。「傘」と該当アイコンを同一の行に表示するためには、図４のように、「傘」の前に必要なだけのスペース（空白）文字を挿入する過程が追加されなければならない。但し、挿入すべき空白文字のバイト数に比べて、剰余空間のバイト数が足りない場合は、アイコンを「傘」の前に付着することが次善の効果を提供するものである。
【００３６】
＜アイコン付着位置の選定ロジックＩＩ＞
図１１の例において、
【００３７】
【表６】
2010508596.tif 000036
のように「お酒一杯」の後にアイコンが付着された。「お酒（ＳＵＬ）」との単語をマッチング単語として登録させる場合、
【００３８】
【表７】
2010508596.tif 000037
のように、より適切な位置に付着され得るが、これは、
【００３９】
【表８】
2010508596.tif 000038
のような不適切な組合せを生成させる恐れがある。従って、マッチング単語としては、「お酒一杯」、「お酒飲」、「お酒  飲」「居酒屋」のような単語を登録しなければ、不適切なマッチングを避けることができないので、
【００４０】
【表９】
2010508596.tif 000039
のようにアイコンの付着位置が決定されるが、適切な位置ではないことが分かる。
【００４１】
このような問題を解決するために、別途のＤＢに「お酒一杯：４」、「お酒飲：２」、「お酒  飲：３」、「居酒屋：０」のような情報を登録させておく。マッチング単語の後の数字は、アイコンの付着位置を意味するバイト数である。すなわち、「お酒一杯」の場合は、マッチング単語の最後の位置から４バイト前にアイコンを付着させ、「お酒飲」の場合は、２バイト前にアイコンを付着させ、「お酒  飲」の場合は、３バイト前にアイコンを付着させる。
【００４２】
付着位置の数字が０である「居酒屋」の場合、マッチング単語の最後の位置にアイコンを付着させる。このロジックを用いる場合、付着の結果は、
【００４３】
【表１０】
2010508596.tif 000040
のようにより見やすい組合せ結果が得られる。このように、本発明は、できるだけ多くのメッセージにアイコンが付着されるようにすると共に、付着されるアイコンの個数が好ましい値となるようにする。
【００４４】
以下、本発明の技術的思想による第２実施例について、図面を参照して説明する。図１４は、本発明の第２実施例によるメッセージのアイコン組合せ方法を示す順序図である。アイコンとテキスト文字の組合せからなる拡張アイコンと、それに対応する単語とで構成されたマッピングテーブルを準備する（ＳＴ１０）。拡張アイコンは、アイコンと一般のテキスト文字を一列で配列して構成してもよく、上下に配置されて立体で構成されてもよい。数個のアイコンと数個のテキスト文字を組み合わせて様々な拡張アイコンを予め登録することができる。
【００４５】
次に、移動体通信端末におけるメッセージの余剰容量を計算する（ＳＴ２０）。一般には、ユーザメッセージの入力バイト数を８０バイトと設定し、余剰容量を計算する。余剰容量を計算することは、拡張アイコンを挿入可能な空間を予めチェックするためである。
【００４６】
また、拡張アイコンと単語間のマッピングを行う（ＳＴ３０）。上述したように、１）意味の一致、２）関連する意味の一致、３）感情の一致、４）全体の雰囲気の一致のうち、１つ以上を用いてマッピングを行う。この際、拡張アイコンと単語間のマッピングは、各拡張アイコンに優先順位を割り当てて行う。また、拡張アイコンの全体バイト数が、余剰容量を超えることができないので、余剰容量の範囲内で拡張アイコンを優先順位が高い順で選定することができる。
【００４７】
最後に、メッセージに拡張アイコンを組み合わせる（ＳＴ４０）。組合せ方式としては、拡張アイコンをメッセージにそのまま挿入する方法と、画面を分割して一方にのみ拡張アイコンを示す方法がある。一列配置された拡張アイコンは、メッセージにそのまま挿入することができるが、アイコンとテキスト文字が立体で組み合わされた拡張アイコンであれば、挿入が困難である。したがって、拡張アイコン領域とメッセージ領域が分割ディスプレイされるように、メッセージを組み合わせることができる。
【００４８】
図１５は、本発明の第２実施例によって、拡張アイコンがメッセージに組み合わされた例を示す。「ためいき」に対応する拡張アイコンとして人の顔アイコンと「＝」と「３」のテキスト組合せを用いることにより、ためいきをつく人が表現された。この場合は、テキスト文字と一列配置が可能であるので、メッセージにそのまま挿入して組み合わせることができ、拡張アイコンの配置に関する細部事項も上述した内容がそのまま適用され得る。
【００４９】
図１６は、本発明の第２実施例によって、左右に領域分割し、拡張アイコンをメッセージの左側に配置した例を示す。「怒る」に対応する拡張アイコンとして「＜」、「｜」、「＞」等のテキスト文字の組合せを人の顔アイコンの左側と下端に立体で配置することにより怒った人が表現された。この場合は、メッセージにそのまま挿入が不可能であり、図示のように、左右に画面分割して、左側に拡張アイコンを配置し、右側にメッセージが出力されるように組み合わされる。このように画面を分割する場合は、数個の拡張アイコンを用いることが容易ではないので、先ず優先順位を割り当て、マッピングされた拡張アイコンのうち最も高い優先順位を得た拡張アイコンをメッセージに含ませることができる。
【００５０】
図１７は、本発明の第２実施例によって、拡張アイコンをメッセージの右側に配置した例を示す。「雨」に対応する拡張アイコンとして傘を示すアイコンの上端に「／」を数個配置することにより、雨が降ることが表現された。上述したように、画面を左右分割し、拡張アイコンが右側に配置されるようにメッセージを組み合わせる。
【００５１】
図１８は、本発明の第２実施例によって、拡張アイコンをメッセージの上端に配置した例を示す。「地下鉄」に対応する拡張アイコンとして、人の顔を示す数個のアイコンを一列で配置し、左右と下端に「｜」と「ｍ」のテキスト文字の組合せを配置することにより、数人が地下鉄に乗っていることが表現された。画面を上下分割し、上端に拡張アイコン領域を置き、下端にメッセージ領域が配置される。
【００５２】
このように本発明の第２実施例は、アイコンとテキスト文字の組合せで構成された拡張アイコンを用いることにより、個別アイコンに比べて、様々な表現が可能であり、これにより結果物の品質を高めることができる。
【手続補正２】
【補正対象書類名】特許請求の範囲
【補正対象項目名】全文
【補正方法】変更
【補正の内容】
【特許請求の範囲】
【請求項１】
ＳＭＳメッセージのアイコン組合せ方法であって、
（ａ）  移動体通信端末におけるメッセージの余剰容量を計算する段階と、
（ｂ）  ユーザメッセージの行数を計算する段階と、
（ｃ）  適切なアイコンの個数を選定する段階と、
（ｄ）  アイコンと単語間のマッピングを行う段階と、
（ｅ）  アイコンの付着位置を選定し、前記メッセージに前記アイコンを組み合わせる段階と
を備えるメッセージのアイコン組合せ方法。
【請求項２】
前記段階（ａ）において、前記余剰容量を計算するために、前記ユーザメッセージの入力バイト数が８０バイトに設定されている、請求項１に記載のメッセージのアイコン組合せ方法。
【請求項３】
前記段階（ｃ）は、
（ｃ−１）  前記メッセージが前記移動体通信端末に出力されるときの行数Ｌを設定（ｉ＝Ｌ）する段階と、
（ｃ−２）  前記剰余空間Ｍのバイトに対して「２×ｉ＞Ｍ」であるかを判別する段階と、
（ｃ−３）  「２×ｉ＞Ｍ」であれば、「ｉ＝ｉ−１」を行ってから、前記段階（ｃ−２）に戻る段階と、
（ｃ−４）  「２×ｉ＞Ｍ」でなければ、適切なアイコンの個数は、ｉであると判断する段階と
を含む、請求項１に記載のメッセージのアイコン組合せ方法。
【請求項４】
前記段階（ｄ）において、前記アイコンと単語間のマッピングが、１）意味の一致、２）関連する意味の一致、３）感情の一致、４）全体の雰囲気の一致のいずれか一つ以上を用いて行われる、請求項３に記載のメッセージのアイコン組合せ方法。
【請求項５】
前記段階（ｄ）において、各アイコンに優先順位を割り当ててマッピングを行う、請求項４に記載のメッセージのアイコン組合せ方法。
【請求項６】
前記段階（ｅ）は、前記アイコンが付着される単語と前記アイコンとが、同一の行に出力されるように、前記アイコンが付着される単語の前にスペース文字を挿入する段階を含む、請求項３乃至５のいずれか一項に記載のメッセージのアイコン組合せ方法。
【請求項７】
前記段階（ｅ）において、前記スペース文字の挿入時、挿入すべき前記スペース文字のバイト数に比べて、前記余剰容量が足りない場合、前記アイコンは、該アイコンが付着される単語の前に付着される、請求項６に記載のメッセージのアイコン組合せ方法。
【請求項８】
前記段階（ｅ）は、前記アイコンの付着位置が決定されるように、各アイコンに付着位置数字を付与する段階を含む、請求項３乃至５のいずれか一項に記載のメッセージのアイコン組合せ方法。
【請求項９】
メッセージのアイコン組合せ方法であって、
（Ａ）  アイコンとテキスト文字の組合からなる拡張アイコンと、それに対応する１つ以上の単語とで構成されたマッピングテーブルを準備する段階と、
（Ｂ）  移動体通信端末におけるメッセージの余剰容量を計算する段階と、
（Ｃ）  拡張アイコンと単語間のマッピングを行う段階と、
（Ｄ）  前記メッセージに前記拡張アイコンを組み合わせる段階と
を備えるメッセージのアイコン組合せ方法。
【請求項１０】
前記段階（Ｃ）は、意味の一致、関連する意味の一致、感情の一致、全体の雰囲気の一致のいずれか一つ以上を用いて、アイコンと単語間のマッピングを行う段階を含む、請求項９に記載のメッセージのアイコン組合せ方法。
【請求項１１】
前記段階（Ｃ）は、さらに、各拡張アイコンに優先順位を割り当てて前記マッピングを行う段階を含む、請求項１０に記載のＳメッセージのアイコン組合せ方法。
【請求項１２】
前記段階（Ｃ）は、さらに、前記優先順位が割り当てられた拡張アイコンのうち、それぞれの拡張アイコンの総バイト数が、前記余剰容量を超えないように、拡張アイコンを優先順位が高い順で選定する段階を含む、請求項１１に記載のメッセージのアイコン組合せ方法。
【請求項１３】
前記段階（Ｄ）は、拡張アイコンが付着される単語と拡張アイコンが、同一の行に出力されるように、前記拡張アイコンが付着される単語の前にスペース文字を挿入する段階を含む、請求項９乃至１２のいずれか一項に記載のＳＭＳメッセージのアイコン組合せ方法。
【請求項１４】
前記段階（Ｄ）は、前記スペース文字の挿入時、前記挿入すべきスペース文字のバイト数に比べて、前記余剰容量が足りない場合は、アイコンを、アイコンが付着される単語の前に付着させる段階を含む、請求項１３に記載のメッセージのアイコン組合せ方法。
【請求項１５】
前記段階（Ｄ）は、拡張アイコンの付着位置が決定されるように、拡張アイコンに付着位置数字を付与する段階を含む、請求項１４に記載のメッセージのアイコン組合せ方法。
【請求項１６】
前記段階（Ｃ）は、前記余剰容量を超えないと共に、最も高い優先順位を得た拡張アイコンを選定する段階をさらに含み、
前記段階（Ｄ）は、
メッセージ領域を拡張アイコン領域とメッセージ領域に分割する段階と、
前記拡張アイコン領域に前記拡張アイコンが出力され、前記メッセージ領域に前記メッセージが出力されるように前記拡張アイコンを組み合わせる段階と
を含む、請求項１１に記載のＳＭＳメッセージのアイコン組合せ方法。
【手続補正３】
【補正対象書類名】図面
【補正対象項目名】図５
【補正方法】変更
【補正の内容】
【図５】
2010508596.tif 000041
【手続補正４】
【補正対象書類名】図面
【補正対象項目名】図７
【補正方法】変更
【補正の内容】
【図７】
2010508596.tif 000042
【手続補正５】
【補正対象書類名】図面
【補正対象項目名】図１４
【補正方法】変更
【補正の内容】
【図１４】
2010508596.tif 000043
【国際調査報告】
2010508596.tif 000044
2010508596.tif 000045